(57)【要約】【課題】  行ったことがない場所であっても、所望する画像を撮影するために必要な撮影機材の選択が容易に行える技術を提供することを目的とする。【解決手段】  サーバと電子機器とを有する撮影支援システムであって、サーバは、電子機器と相互に通信可能な通信部と、撮影情報が付加された複数の画像を記録するデータベース部と、電子機器からの指示入力に基づいて画像を選択し、選択された画像の撮影情報を撮影履歴データとして電子機器に送信する制御部とを備え、電子機器は、外部から指示入力を受け付ける入力部と、指示入力をサーバに送信し、撮影履歴データをサーバから受信する送受信部と、撮影履歴データに基づいて、ユーザが所望する画像を撮影するのに適した撮影機材を選択する選択部と、撮影履歴データとともに選択された撮影機材の情報を表示する表示部とを備える。【選択図】    図１
2013172312.tif 000002
【特許請求の範囲】
【請求項１】
サーバと電子機器とを有する撮影支援システムであって、
前記サーバは、
前記電子機器と相互に通信可能な通信部と、
撮影情報が付加された複数の画像を記録するデータベース部と、
前記電子機器からの指示入力に基づいて前記撮影情報が付加された画像を選択し、選択された前記画像の前記撮影情報を撮影履歴データとして前記電子機器に送信する制御部とを備え、
前記電子機器は、
外部から前記指示入力を受け付ける入力部と、
前記指示入力を前記サーバに送信し、前記指示入力に基づいた前記撮影履歴データを前記サーバから受信する送受信部と、
前記撮影履歴データに基づいて、ユーザが所望する画像を撮影するのに適した撮影機材を選択する選択部と、
前記撮影履歴データを視覚的に確認可能に表示するとともに、前記選択部により選択された前記撮影機材の情報を表示する表示部とを備える、
ことを特徴とする撮影支援システム。
【請求項２】
請求項１に記載の撮影支援システムにおいて、
前記電子機器は、地図データを記憶する記憶部を備え、
前記表示部は、前記地図データに基づいた地図を表示し、
前記入力部は、前記表示部に表示された前記地図上で指定された位置を前記指示入力として受け付ける
ことを特徴とする撮影支援システム。
【請求項３】
請求項１または請求項２に記載の撮影支援システムにおいて、
前記制御部は、前記撮影履歴データとともに前記選択された画像を前記電子機器に送信し、
前記表示部は、前記撮影履歴データとともに前記選択された画像を表示する
ことを特徴とする撮影支援システム。
【請求項４】
請求項１ないし請求項３のいずれか１項に記載の撮影支援システムにおいて、
前記サーバは、
ネットワークを介して、他のユーザによって撮影され前記撮影情報が付加された画像を取得する画像取得部を備え、
前記制御部は、
取得した前記撮影情報が付加された画像を前記データベース部に記録更新する
ことを特徴とする撮影支援システム。
【請求項５】
請求項１ないし請求項４のいずれか１項に記載の撮影支援システムにおいて、
前記選択部は、前記選択部による選択時の絞り込み条件を示す指示入力を前記入力部が受け付けると、前記絞り込み条件にしたがって前記撮影機材を選択する
ことを特徴とする撮影支援システム。
【請求項６】
コンピュータに、
外部から指示入力を受け付ける入力手順、
前記指示入力を撮影情報が付加された複数の画像を記録保持するサーバに送信する送信手順、
前記入力指示に基づいた撮影履歴データを前記サーバから受信する受信手順、
前記撮影履歴データに基づいて、ユーザが所望する画像を撮影するのに適した撮影機材を選択する選択手順、
前記撮影履歴データを視覚的に確認可能に表示するとともに、前記選択手順により選択された前記撮影機材の情報を表示する表示手順、
を実行させることを特徴とする撮影支援プログラム。
【発明の詳細な説明】
【技術分野】
【０００１】
本発明は、所望する画像を撮像するための撮影支援システムおよび撮影支援プログラムに関する。
【背景技術】
【０００２】
従来、交換レンズや照明装置などの撮影機材を適宜選択しカメラに装着することにより、様々な撮影条件で画像を撮影することができる。しかしながら、所望する画像を撮影するのに最適な撮影条件を、様々な撮影条件の中から選択することは困難な作業である。そこで、例えば、過去の撮影条件を参照することで、最適な撮影を実現できる技術が開発されている（特許文献１など参照）。
【先行技術文献】
【特許文献】
【０００３】
【特許文献１】特開２００６−１０８９１５号公報
【発明の概要】
【発明が解決しようとする課題】
【０００４】
しかしながら、従来技術では、初めての場所に行く場合、所望する画像を撮影するために、所有する撮影機材のうちどれを選択して持って行けばよいのか判断することは困難である。
【０００５】
上記従来技術が有する問題に鑑み、本発明の目的は、行ったことがない場所であっても、所望する画像を撮影するために必要な撮影機材の選択が容易に行える技術を提供することにある。
【課題を解決するための手段】
【０００６】
上記課題を解決するために、本発明の撮影支援システムは、サーバと電子機器とを有する撮影支援システムであって、サーバは、電子機器と相互に通信可能な通信部と、撮影情報が付加された複数の画像を記録するデータベース部と、電子機器からの指示入力に基づいて撮影情報が付加された画像を選択し、選択された画像の撮影情報を撮影履歴データとして電子機器に送信する制御部とを備え、電子機器は、外部から指示入力を受け付ける入力部と、指示入力をサーバに送信し、指示入力に基づいた撮影履歴データをサーバから受信する送受信部と、撮影履歴データに基づいて、ユーザが所望する画像を撮影するのに適した撮影機材を選択する選択部と、撮影履歴データを視覚的に確認可能に表示するとともに、選択部により選択された撮影機材の情報を表示する表示部とを備える。
【０００７】
また、電子機器は、地図データを記憶する記憶部を備え、表示部は、地図データに基づいた地図を表示し、入力部は、表示部に表示された地図上で指定された位置を指示入力として受け付けてもよい。
【０００８】
また、制御部は、撮影履歴データとともに選択された画像を電子機器に送信し、表示部は、撮影履歴データとともに選択された画像を表示してもよい。
【０００９】
また、サーバは、ネットワークを介して、他のユーザによって撮影され撮影情報が付加された画像を取得する画像取得部を備え、制御部は、取得した撮影情報が付加された画像をデータベース部に記録更新してもよい。
【００１０】
また、選択部は、選択部による選択時の絞り込み条件を示す指示入力を入力部が受け付けると、絞り込み条件にしたがって撮影機材を選択してもよい。
【００１１】
本発明の撮影支援プログラムは、コンピュータに、外部から指示入力を受け付ける入力手順、指示入力を撮影情報が付加された複数の画像を記録保持するサーバに送信する送信手順、入力指示に基づいた撮影履歴データをサーバから受信する受信手順、撮影履歴データに基づいて、ユーザが所望する画像を撮影するのに適した撮影機材を選択する選択手順、撮影履歴データを視覚的に確認可能に表示するとともに、選択手順により選択された撮影機材の情報を表示する表示手順、を実行させる。
【発明の効果】
【００１２】
本発明によれば、行ったことがない場所であっても、所望する画像を撮影するために必要な撮影機材の選択が容易に行える。
【図面の簡単な説明】
【００１３】
【図１】一の実施形態に係る撮影支援システム１００の構成を示す図
【図２】本実施形態に係る端末１およびサーバ２の構成を示すブロック図
【図３】撮影履歴データの一例を示す図
【図４】交換レンズにおける焦点距離のヒストグラムの一例を示す図
【図５】交換レンズにおける絞り値のヒストグラムの一例を示す図
【図６】照明装置における発光量のヒストグラムの一例を示す図
【図７】選択枠について説明する図
【図８】撮影機材毎に撮影履歴をヒストグラムで表示する一例を示す図
【図９】おすすめの交換レンズの表示の一例を示す図
【発明を実施するための形態】
【００１４】
以下、図面を用いて本発明の実施形態について説明する。
【００１５】
図１は、本発明の一の実施形態に係る撮影支援システム１００の構成を示す図である。図に示すように、本実施形態の撮影支援システム１００は、端末１とサーバ２とから構成され、ネットワーク３を介して互いに通信可能に接続される。
【００１６】
図２は、撮影支援システム１００を構成する端末１およびサーバ２の構成を示すブロック図である。
【００１７】
端末１は、一般的なコンピュータを用いることができ、図２（ａ）に示すように、ＣＰＵ１０、送受信部１１、記憶部１２、入出力インタフェース（ＩＦ）１３を備える。ＣＰＵ１０、送受信部１１、記憶部１２、入出力インタフェース（ＩＦ）１３は、バス１４を介して情報伝達可能に接続される。さらに、端末１には、入出力ＩＦ１３を介して、キーボード、ポインティングデバイスなどの入力装置１５、およびモニタなどの出力装置１６が接続されている。入出力ＩＦ１３は、入力装置１５を介して受け付けたユーザからの指示入力をＣＰＵ１０へ出力し、出力装置１６に対して表示用のデータを出力する。
【００１８】
ＣＰＵ１０は、端末１の各部を統括的に制御するプロセッサである。ＣＰＵ１０は、例えば、後述する記憶部１２に記憶されている撮影支援プログラムに基づいて、入力装置１５を介して受け付けたユーザからの指示入力に基づいてサーバ２との間で処理動作し、ユーザが所望する画像を撮影するのに適した撮影機材の選択などを行う。
【００１９】
送受信部１１は、ＣＰＵ１０の制御指示に基づいて、入力装置１５を介して受け付けたユーザの指示入力などをサーバ２へ送信し、送信された指示入力に対するサーバ２からの応答を受信する。
【００２０】
記憶部１２は、ハードディスクや半導体メモリなどから形成され、ＣＰＵ１０によって実行される撮影支援プログラムを記憶する。本実施形態の記憶部１２は、撮影支援プログラムによって読み込まれ、撮影地の指定などに用いられる地図データを記録する。さらに、記憶部１２は、ユーザが有するカメラ、そのカメラに装着される交換レンズ、照明装置などの撮影機材を一覧にした機材データも予め記憶されているものとする。
【００２１】
一方、本実施形態のサーバ２は、一般的なコンピュータを用いることができ、図２（ｂ）に示すように、ＣＰＵ２０、通信部２１、記憶部２２を備える。ＣＰＵ２０、通信部２１、記憶部２２は、バス２３を介して情報伝達可能に接続される。なお、サーバ２には、不図示の入出力ＩＦを介して、キーボード、ポインティングデバイスなどの入力装置、および、モニタなどの出力装置が接続されていてもよい。
【００２２】
ＣＰＵ２０は、サーバ２の各部を統括的に制御するプロセッサである。ＣＰＵ２０は、記憶部２２に記憶される制御プログラムに基づいて、通信部２１を介して、ネットワーク３を介して受信する端末１などからの指示入力に基づいて処理動作し、その処理結果を指示入力の送信元へ送信する。本実施形態のＣＰＵ２０は、制御プログラムに基づいて、画像取得部として動作する。すなわち、ＣＰＵ２０は、端末１のユーザ以外で、不図示の他の端末のユーザによって撮像された画像ファイルを、ネットワーク３を介して検索し取得する。ＣＰＵ２０は、取得した画像ファイルを記憶部２２に記録する。同時に、ＣＰＵ２０は、画像ファイルに付加された撮像情報を一覧にして記憶部２２に記憶されたデータベースに、取得した画像ファイルの撮影情報を追加し更新する。ＣＰＵ２０は、端末１から受信した指示入力とデータベースとに基づいて画像を１つまたは複数を選択する。ＣＰＵ２０は、選択した画像に対応する撮影情報をデータベースから抽出し撮影履歴データを生成する。ＣＰＵ２０は、撮影履歴データを端末１へ送信する。
【００２３】
記憶部２２は、ハードディスクなどから形成され、ＣＰＵ２０によって実行される撮影支援プログラムとともに、他のユーザが撮影した複数の画像ファイルおよびデータベースを記憶する。
【００２４】
ここで、サーバ２によって取得された画像ファイルは、Ｅｘｉｆ（Exchangeable image file format for digital still cameras）規格やＴＩＦＦ／ＥＰ規格などに準拠した形式のファイルであるとする。その画像ファイルに付加される情報は、その画像が撮影された時の撮影情報を有するものとする。画像ファイルの撮影情報には、以下のような情報が含まれる。
（Ａ）撮影日時および撮影地に関する情報
・カメラ機種
・撮影日時
・撮影地の緯度経度
・撮影の方位
（Ｂ）交換レンズに関する情報
・交換レンズの接続の有無
・交換レンズの種類（メーカー、型番など）
・焦点距離
・絞り
・防振機能の有無
・防振機能のＯＮ／ＯＦＦ
・撮影画像サイズ（ＦＸ／ＤＸ）
（Ｃ）照明装置に関する情報
・照明装置の接続の有無
・照明装置の種類（メーカー、型番など）
・発光の有無
・発光量
・発光モード（調光モードを含む）
・ＦＰ発光の有無
ここで、撮影画像サイズのＦＸとは、３５ｍｍフィルムの画面サイズに準じた撮像サイズを有する撮像素子で撮影した画像サイズである。一方、ＤＸとは、２３．４ｍｍ×１６．７ｍｍの画面サイズ（いわゆるＡＰＳ−Ｃサイズ）に準じた撮像サイズを有する撮像素子で撮影した画像サイズである。また、ＦＰ発光とは、高速なシャッタ速度で撮影する場合において、カメラのシャッタが開く直前から発光を開始させ長時間発光を持続させる照明装置の発光方式である。
【００２５】
なお、指示入力およびデータベースに基づいて撮影履歴データを生成するにあたり、ＣＰＵ２０は、（Ａ）の撮影日時および撮影地毎、（Ｂ）の交換レンズの種類毎、（Ｃ）の照明装置の種類毎に、撮影履歴データをそれぞれ生成し記録することが好ましい。また、データベースおよび撮影履歴データは、カメラに関する情報をさらに記録してもよく、カメラに関する情報には、以下のような情報が含まれることが好ましい。
【００２６】
・撮影姿勢
・撮影モード
・連写モードのＯＮ／ＯＦＦ
このように記録されたデータベースおよび撮影履歴データは、後述する「撮影履歴の表示」および「おすすめ撮影機材の表示」時に用いられる。
【００２７】
次に、撮影支援システム１００の動作を、（１）撮影履歴の表示、（２）おすすめの撮影機材の表示それぞれの場合について説明する。
【００２８】
（１）撮影履歴の表示
端末１のＣＰＵ１０は、入力装置１５を介して受け付けるユーザ操作（出力装置１６に表示される撮影支援プログラムのアイコンをダブルクリックするなど）に基づいて、記憶部１２に記憶されている撮影支援プログラムを読み込み起動する。ＣＰＵ１０は、記憶部１２に記憶されている地図データを読み込み、地図を出力装置１６に表示する。同時に、ＣＰＵ１０は、送受信部１１をサーバ２と通信可能に設定する。
【００２９】
行ったことがない撮影地においてどのような画像が撮影でき、所望する画像を撮影するにはどのような撮影機材が必要か否かを判断するために、ユーザは、例えば、入力装置１５を介して出力装置１６に表示された地図上の撮影地の位置に、ポインティングデバイスのポインタを置いてクリックなどする。ＣＰＵ１０は、指定された位置の座標を受け付け、地図データに基づいて緯度経度などの位置情報に変換する。ＣＰＵ１０は、その位置情報を指示入力として、サーバ２へ送信する。
【００３０】
なお、ＣＰＵ１０は、サーバ２による画像ファイルの選択を絞り込むための撮影日時、検索するための範囲、撮影方位などの絞り込み条件を、位置情報とともに入力装置１５を介して受け付け、指示入力としてサーバ２へ送信するようにしてもよい。また、他のユーザが使用したカメラ機種を絞り込み条件としてもよい。また、地図上をクリックして撮影地の位置を指定する代わりに、地名や緯度経度などで撮影地を指定してもよい。
【００３１】
サーバ２のＣＰＵ２０は、端末１から指示入力を受信すると、記憶部２２に記憶されているデータベースを読み込み、受信した指示入力の位置情報および絞り込み条件に基づいてデータベースを検索する。ＣＰＵ２０は、絞り込み条件に一致する撮影情報が付加された画像ファイルを選択する。ＣＰＵ２０は、選択された画像ファイルの撮影情報をデータベースから抽出して撮影履歴データを生成し端末１へ送信する。
【００３２】
図３は、データベースから抽出された撮影履歴データの一例を示す。本実施形態における撮影履歴データは、各画像ファイルの撮像日時、撮影地の位置、撮影方位、カメラ名、焦点距離、撮影シーン、絞り（Ｆ値）、元画像のサイズ、元画像のアドレスの項目を有するものとする。なお、記憶部２２に記憶されるデータベースは既述した画像ファイルの撮影情報に含まれる全てを有することが好ましい。また、撮影履歴データに含まれる項目は、ユーザの求めに応じて決められてもよいし、データベースと同じく全ての項目が含まれてもよい。
【００３３】
ここで、撮影日時、撮影地の位置は、例えば、撮影に使用したカメラに搭載されたＧＰＳ受信機が受信するＧＰＳ信号に基づいて検出される。撮影方位は、カメラに搭載された電子コンパスなどを用いて検出される。また、撮影シーンは、既述の撮影モードに基づいて決定されてもよいし、ＣＰＵ２０による公知の画像処理に基づいて決定されてもよい。なお、ＣＰＵ２０は、焦点距離として３５ｍｍ換算されたものを参照するものとする。
【００３４】
端末１のＣＰＵ１０は、サーバ２から撮影履歴データを受信し、撮影履歴として出力装置１６に表示する。本実施形態における撮影履歴の表示は、表やヒストグラムの形態で行うものとする。表またはヒストグラム上をクリックすると、その条件で撮影されたサンプル画像を表示する。このような表示を行うことにより、ユーザは、行ったことがない撮影地であってもどのような画像が撮影できるかを視覚的に確認することができる。さらに、ユーザは、所望する画像を撮影するために、どのような撮影機材が必要か否かも視覚的に判断することができる。
【００３５】
図４は、交換レンズにおける焦点距離のヒストグラムの一例を示し、図５は、交換レンズにおける絞り値のヒストグラムの一例を示し、図６は、照明装置における発光量の一例を示す。図４の例において、横軸は撮影履歴データの焦点距離を示し、縦軸は頻度を示す。また、図５の例において、横軸は撮影履歴データの絞り（Ｆ値）を示し、縦軸は頻度を示す。また、図６の例において、横軸は撮影履歴データの発光量（ガイドナンバー：ＧＮ）を示し、縦軸は頻度を示す。
【００３６】
なお、図３ないし図６のような表示のうち、何れの項目についてどのような表示を行うかは、入力装置１５を介したユーザ操作により指定可能な構成とする。また、撮影履歴の表示中に入力装置１５を介したユーザ指示を受け付け、指示に応じて表示を変更する構成としてもよい。
【００３７】
例えば、初めに図３のような受信した撮影履歴データを表示し、その後、ユーザ指示に応じて詳細を示す撮影履歴として、図４ないし図６に示したヒストグラムを表示してもよい。また、図７に示すように、選択枠（図７領域ａ参照）を表示し、ヒストグラムの一部をより詳細に表示する構成としてもよい。また、ある項目に関するヒストグラムを表示中に、その一部が上述した選択枠により指定された場合には、その選択枠に相当する部分について、別の項目のヒストグラムを表示する構成としてもよい。例えば、図４に示す焦点距離のヒストグラムを表示中に、その一部が上述した選択枠により指定された場合には、その選択枠に相当する部分について、絞りのヒストグラムを表示する構成としてもよい。また、例えば、図４のヒストグラム上に入力装置１５のポインタを配置させたり、図７に示すような選択枠を用いたりして焦点距離の区間を選択し、選択された区間の焦点距離で撮像された画像をサンプル表示するようにしてもよい。このような構成により、ユーザは、行ったことがない撮影地においてどのような画像が撮影でき、所望する画像を撮影するにはどのような撮影機材が必要か否かを判断することができる。なお、選択枠による指定の代わりに数値指定を行う構成としてもよい。
【００３８】
また、撮影履歴を、複数の撮影機材の使用に基づいて表示する場合には、簡単に表示を切り換え可能とするのが好ましい。例えば、カメラ機種（ＡカメラからＣカメラ）毎の使用に基づいて表示する場合、図８に示すように、選択釦（図８領域ｂ参照）を表示し、全体の表示（「ＴＯＴＡＬ」に対応）とカメラ毎の表示（「Ａカメラ」〜「Ｃカメラ」に対応）とを切り換え可能にしてもよい。また、全体の表示と撮影シーン毎の表示（例えば「風景」、「ポートレート」、「夜景」など）とを切り換え可能にしてもよい。また、全体の表示と季節や日時毎の表示とを切り換え可能にしてもよい。これらにより、ユーザにとって望ましいヒストグラムが得られ、より正確に撮影に必要な撮影機材の選択ができる。
【００３９】
さらに、機材データに基づいて、例えば、図４に示すヒストグラムにおいて、ユーザが所有する交換レンズの焦点距離を赤などの色で表示したり、ユーザが所有する交換レンズでカバーできる焦点距離の範囲を矢印などで表示したりしてもよい。これにより、ユーザは、撮影機材の選択が容易にできるようになる。
【００４０】
（２）おすすめの撮影機材の表示
端末１のＣＰＵ１０は、上述した撮影履歴の表示中に、入力装置１５を介してユーザ指示を受け付けると、おすすめの撮影機材に関する情報を、出力装置１６に表示する。おすすめの撮影機材に関する情報の表示は、例えば、出力装置１６にメニューを表示し、メニューから選択される構成とする。
【００４１】
ＣＰＵ１０は、ユーザによりおすすめの撮影機材の表示指示を介して受け付けると、出力装置１６に表示中の撮影履歴に基づいて、おすすめの撮影機材を選択する。おすすめの撮影機材の選択には、例えば、「買い足しを想定したおすすめ」が考えられる。すなわち、「買い足しを想定したおすすめ」とは、出力装置１６に表示中の撮影履歴と機材データとに基づいて、ユーザ自身は所有していないが、行ったことのない撮影地において他のユーザの使用頻度が高く使用の適した撮影機材が、ＣＰＵ１０よって選択される場合である。
【００４２】
例えば、交換レンズについてのおすすめの撮影機材の表示が選択され、焦点距離に関したヒストグラムが広い範囲に亘って分布しているような場合、ＣＰＵ１０は、１つでカバーでき焦点距離の範囲が広い高倍率のズームレンズを、おすすめの交換レンズとして選択する。また、ユーザが上記範囲の一部をカバーする交換レンズを所有している場合、ＣＰＵ１０は、カバーしていない範囲をカバーするズームレンズを、おすすめの交換レンズとして選択してもよい。
【００４３】
さらに、ＣＰＵ１０は、絞りに関するヒストグラムに基づいて絞りを加味したり、撮影可能／不可能な画面サイズや防振機能を加味したりしておすすめの交換レンズを選択する構成としてもよい。なお、出力装置１６に表示中の撮影履歴における範囲に対応する交換レンズがない場合は、もっとも近い範囲の交換レンズをおすすめ交換レンズとして選択してもよい。また、図７に示すように、ＣＰＵ１０は、選択枠で選択されるヒストラムの区間を入力装置１５を介して受け付け、選択された区間の焦点距離の範囲をカバーするズームレンズを選択する構成としてもよい。
【００４４】
次に、ＣＰＵ１０は、選択したおすすめの撮影機材の情報を、出力装置１６に表示する。図９は、おすすめの撮影機材として、おすすめの交換レンズを表示する場合の表示の一例を示す。ＣＰＵ１０は、図９に示すように、選択した撮影機材の情報を出力装置１６に表示する。なお、ＣＰＵ１０が、詳細（図９領域ｃ参照）やサンプル画像（図９領域ｄ参照）をさらに表示する構成としてもよい。すなわち、何れかの交換レンズについて、ユーザが入力装置１５を介して「詳細」の項目を選択する場合、ＣＰＵ１０は、選択された交換レンズの詳細な情報を出力装置１６に表示する。
【００４５】
また、何れかの交換レンズについて、ユーザが入力装置１５を介して「サンプル画像」の項目を選択する場合、ＣＰＵ１０は、撮影履歴データに基づいて、選択された交換レンズを用いて撮影された画像をサンプル画像として出力装置１６に表示する。なお、詳細の情報は、撮影機材の製造者のウェブページにリンクされ、「詳細」の項目が選択された場合、そのウェブページが表示されるものとする。
【００４６】
さらに、おすすめの撮影機材の表示中に、入力装置１５を介してユーザ指示を受け付け、指示に応じて表示を変更する構成としてもよい。例えば、表示された撮影機材がユーザの要望に合致しなかった場合などの場合、上述した「撮影履歴の表示」に戻り、おすすめの撮影機材の選択の対象となる撮影履歴を再指定可能な構成としてもよい。このような構成とすることにより、おすすめの撮影機材がユーザにとっては高価であるなどの場合、ユーザは、撮影履歴における選択範囲を狭くしたり、絞り込み条件を指定したりして、別のおすすめの撮影機材を探すことができる。例えば、撮影履歴において、単焦点の明るいレンズで明るい絞りが含まれている場合、大口径ズームレンズが買い足しを想定したおすすめの交換レンズとして選択される。このような交換レンズは、一般的に非常に高価である。そこで、ユーザは、絞りのヒストグラムで明るい絞りを除く指定を行うことによって、予算に見合った撮影機材の情報を得ることができる。なお、おすすめの撮影機材の表示中に指定可能な絞り込み条件として、「予算」を設ける構成としてもよい。
【００４７】
このように、本実施形態は、行ったことがない場所であっても、ユーザからの入力指示に基づいて、端末１が、サーバ２に他のユーザによって撮影された画像を選択させ、選択された画像の撮影情報に基づく撮影履歴を表示することにより、所望する画像を撮影するために必要な撮影機材の選択が容易に行える。
【００４８】
また、機材データに基づいて選択された撮影機材がすすめられることから、ユーザは、選択された撮影機材を所有しているか否かの判定が容易にできるとともに、サンプル画像に基づいて選択された撮影機材を購入すべきか否かの判定も容易にできる。
＜実施形態の補足事項＞
（１）上記実施形態では、コンピュータなどの端末１をサーバ２とデータの送受信を行う電子機器としたが、本発明はこれに限定されず、サーバ２とデータの送受信を行う送受信部を備え撮影支援プログラムを有するカメラでもよい。
【００４９】
また、撮影支援プログラムを記憶する記録媒体に対しても適用可能である。
【００５０】
（２）上記実施形態では、撮影履歴の表示において、表やヒストグラムで表示するとしたが、ユーザが視覚的に確認可能であれば各種グラフやイラストなどを用いて表示を行ってもよい。
【００５１】
（３）上記実施形態では、撮影履歴の表示における絞り込み条件として、撮影日時、撮影方位、撮影シーンなどとしたが、本発明はこれに限定されない。例えば、撮影された画像に付加される撮影情報に他のユーザの名前が含まれる場合、その名前に基づいて他のユーザの性別が推定できることから、他のユーザの性別を絞り込み条件とすることができる。これにより、性別に応じた撮影される画像の使用される撮影機材の傾向の確認および選択ができる。
【００５２】
（４）上記実施形態では、おすすめの撮影機材の表示として、「買い足しを想定したおすすめ」の場合について説明したが、本発明はこれに限定されず、「買い換えを想定したおおすすめ」の場合についても適用可能である。ここで、「買い換えを想定したおすすめ」とは、出力装置１６に表示中の撮影履歴と機材データとに基づいて、ユーザ自身が所有しているとともに、行ったことのない撮影地においても他のユーザの使用頻度が高く使用の適した撮影機材が、ＣＰＵ１０よって選択される場合である。
【００５３】
（５）上記実施形態では、おすすめの撮影機材の表示において、具体的な撮影機材の情報を表示したが、ユーザの撮影機材の選択のヒントとなる情報、例えば、「ズーム範囲の広い交換レンズをおすすめします」や「発光量の大きい照明装置をおすすめします」などの情報を表示してもよい。
【００５４】
また、おすすめの撮影機材の選択に関して、ＣＰＵ１０がヒストグラムを解析し、ユーザの範囲選択に依らずにおすすめの撮影機材を選択する構成としてもよい。また、撮影機材として、交換レンズおよび照明装置以外のものについても同様に本発明を適用することができる。
【００５５】
（６）上記実施形態では、地図データを端末１の記憶部１２に記録する構成としたが、本発明はこれに限定されず、サーバ２の記憶部２２に記録し、端末１はサーバ２から地図データを受信して出力装置１６に表示してもよい。または、地図データはサーバ２とは別のサーバ（図示せず）に本撮影支援システムとは別の用途向けに記録してあり、端末１はそこから受信してもよい。
【００５６】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図する。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物によることも可能である。
【符号の説明】
【００５７】
１  端末、２  サーバ、３  ネットワーク、１０、２０  ＣＰＵ、１１、２１  送受信部、１２、２２  記憶部、１３  入出力ＩＦ、１４、２３  バス、１５  入力装置、１６  出力装置、１００  撮影支援システム
【図１】
2013172312.tif 000003
【図２】
2013172312.tif 000004
【図３】
2013172312.tif 000005
【図４】
2013172312.tif 000006
【図５】
2013172312.tif 000007
【図６】
2013172312.tif 000008
【図７】
2013172312.tif 000009
【図８】
2013172312.tif 000010
【図９】
2013172312.tif 000011